(57)【特許請求の範囲】
【請求項１】
一端に操作部、他端に挟持可動の作用部を有する可動体を一対中間部にて軸止めされた挟持体と、挟持体を閉じた状態で一対の可動体の作用部間に形成される収納空間部と、一対の可動体の各作用部にそれぞれ設けられた第一固定部材及び第二固定部材を有し、第一固定部材は、任意の袋底部を作用部先端から収納空間部内へ挿入した状態で袋の一部を可動体の内側から固定し、第二固定部材は、袋開口部を外方向へ折り返した状態で折り返した袋の一部を可動体の外側から固定する、ことを特徴とする鋏構造型ゴミ収集具。
【請求項２】
各作用部先端に、防滑性及び消音性のある弾力性素材からなる先端部材を設けたことを特徴とする、請求項１記載の鋏構造型ゴミ収集具。
【発明の詳細な説明】
【技術分野】
【０００１】本発明は、ペットの排泄物や汚物等直接手に触れたくない物を処理する際の手間と不快感を軽減する鋏構造型ゴミ収集具に関するものである。
【背景技術】
【０００２】従来、ペットの糞を処理する等の移動時携帯する道具はシャベル型の物が一般的であった。
それは、猫等の室内で飼うペットの専用トイレで使用することが主であり、散歩時の犬のように屋外で排泄した場合は主に、飼い主が糞にティッシュ等をかぶせた後、ビニール袋の中にいれた自らの手で掴み取って後始末していた。
【発明の開示】
【発明が解決しようとする課題】
【０００３】そのためにペットの糞を対象にするだけでも次のような問題点があった。
（イ）従来のシャベル型の物だと、室内のペット専用トイレで使用する時も屋外で使用する時も、直接排泄物に触れるためにその一部がこびりつき非衛生的状態となり、これを回避するために、頻繁に洗浄しなくてはならず、手間がかかった。
（ロ）屋外では、飼い主が糞にティッシュ等をかぶせ、ビニール袋の中に入れた自らの手で掴み取って後始末する例が多く、この方法で処理する時に生じる不快感は、仕方のないものとされてきた。
【課題を解決するための手段】
【０００４】一端に操作部、他端に挟持可動の作用部を有する可動体を一対中間部にて軸止めされた挟持体と、挟持体を閉じた状態で一対の可動体の作用部間に形成される収納空間部と、一対の可動体の各作用部にそれぞれ設けられた第一固定部材及び第二固定部材を有し、第一固定部材は、任意の袋底部を作用部先端から収納空間部内へ挿入した状態で袋の一部を可動体の内側から固定し、第二固定部材は、袋開口部を外方向へ折り返した状態で折り返した袋の一部を可動体の外側から固定することにより構成される。
【発明の効果】
【０００５】本発明は、ゴミ収集物に直接触れることなく片手で使用できるため、従来のシャベル型のように頻繁に洗浄する必要がなく、使う人にとって手間が省ける。
また、任意の袋の中に直接ゴミを収集し、収集物に手を触れることなく袋を閉じ、その状態で廃棄できるので、衛生的に使用することができる。
さらに、第一及び第二固定部材により各々内側と外側計４箇所で固定されるため、袋は狭持体に密着した状態を維持し、正確に回収操作をすることができる。
各作用部先端防滑手段を設けたものにおいては、使用時ずれにくく、高い確実性で収集できる。
各作用部先端に消音手段を設けたものにおいては、使用時の騒音を防止できる。
【発明を実施するための最良の形態】
【０００６】以下、本発明の実施の形態について説明する。
本発明は一対の可動体が中間部で軸（１５）止めされた鋏構造の狭持体（１）である。
可動体は一端側には操作する際に指を差し込む指穴（４）が設けられている。中間には軸止め用の軸穴（１５）が設けられており、反対側はものを挟み込むための作用部となっている。
作用部は軸止め（１５）位置から少し先端部にかかる位置からねじれ、作用部において９０度近くねじれた状態となっている。また、作用部は中間部で外側に膨らむように湾曲した状態となっており、先端にはシリコンやゴム等の防滑性、消音性のある先端部材（３）が設けられている。この可動体一対が中間で軸止め（１５）されており、これにより作用部側には収納空間部が形成される。
また、図４、図５に示すように中間部から軸（１５）より位置には、取付け部（８ａ；８ｂ）が上下に各一対で計４ケ所設けられており、固定部材としてのストッパーシート（２ａ；２ｂ）を取付けられるようになっている。
このストッパーシート（２ａ；２ｂ）を取付け部（８ａ；８ｂ）に固定するには、取付け部（８ａ；８ｂ）に設けられている抜け防止縁（９ａ；９ｂ）の取付け穴（１０ａ；１０ｂ）にストッパーシート側取付け穴（７）をあわせ計４箇所のリベット（５）を差し込み固定する。このようにしっかり固定する事により、袋（１２）をスットパーシート（２ａ：２ｂ）にはさみこんだ時と引き抜いた時にでる圧力に耐えられるようになっている。
ストッパーシート（２ａ；２ｂ）には袋（１２）を止めるための切り込み（２）が設けられている。
また可撓性素材により指（１３）を差し込むことができる。
尚、固定する方法でここではリベット（５）を使用事例として説明するが、これに限定するものではない。
本発明は以上のような構成からなっている。
以下、使用方法についてスーパー等で利用される取っ手付きのビニール袋を使用する事例として説明する。
図７ａに示されるように狭持体（１）に設けられている操作部（４）に指（１３）をいれて上下に開き、反対側にある収納空間部を広げ、袋（１２）内側底部を作用部先端から収納空間部へ挿入した状態で、上下２ケ所で取付けてあるストッパーシート（２ａ）に対し袋（１２）の内側から指（１３）で差し込んで袋（１２）の一部を固定する。この状態を図６で説明する。
続いて図７ｂが示すように袋（１２）の取っ手を先端部で外方向へ折り返した状態で、袋（１２）の上からストッパーシート（２ｂ）に対し外側から指（１３）で差し込んで袋（１２）の一部を固定する。
この際のストッパー（２ａ；２ｂ）の作用を図６を用いて説明すると、ストッパーシート（２ａ；２ｂ）は通常図６ａのように平らな状態であり、袋（１２）をあてた状態で指（１３）を押し込むことにより図６ｂに示すように、切込み（６）により形成される可動片（１１）が開き、袋（１２）が押し込まれる。次に指（１３）を抜くと図６ｃに示すように押し込まれた袋（１２）の部位は戻ろうとする可動片（１１）により挟み込まれ固定する。
袋（１２）を内側と外側のストッパーシート（２ａ；２ｂ）で固定することができるので、袋（１２）は合計４ケ所で固定され、さらに各作用部先端部材（３）に防滑手段を設けたことにより固定保持力が向上する。
又、弾力性があり消音効果のある材料にすることで、コンクリートやアスファルト等の硬質な場所においても不要な音が立たない。この状態にして糞（１４）を挟み込む。
挟み込まれた糞（１４）はこの時点で袋（１２）の中にある。この状態で袋（１２）を開口部付近から手で作用部先端に向かって引っ張るようにしてストッパーシート（２ｂ）からはずし、糞（１４）を袋内に回収する。
さらに図７ｃに示すように袋（１２）を作用部先端に向かって引っ張り、ストッパーシート（２ａ）からもはずして分離する。そして袋（１２）の取っ手を結んでゴミとして処分する。
尚、袋に関してはこれに限定されず、取っ手のないビニール袋であっても良い。
この際は開口部をつかんて同様の使い方となる。【０００７】
【図面の簡単な説明】
【０００８】
【図１】本発明の斜視図
【図２】本発明の説明図
【図３】本発明の平面図
【図４】本発明の要部分解図
【図５】本発明の要部取付説明図
【図６】本発明の状態説明図
【図７】本発明の使用説明図
【符号の説明】
【０００９】  １狭持体
２；２ａ；２ｂストッパーシート
３先端部材
４操作部
５リベット
６切込み部
７ストッパー側取付け穴
８；８ａ；８ｂ取付け部
９；９ａ；９ｂ抜け防止縁
１０；１０ａ；１０ｂ取付穴
１１可動片
１２ビニール袋
１３指
１４糞
１５軸
【図１】
0004565412.tif 000002
【図２】
0004565412.tif 000003
【図３】
0004565412.tif 000004
【図４】
0004565412.tif 000005
【図５】
0004565412.tif 000006
【図６】
0004565412.tif 000007
【図７】
0004565412.tif 000008